(57)【要約】      （修正有）【課題】コンパクトに折り畳むことができるので携帯に便利であり、しかも簡便にかつ安定して使用することができる足置き台を提供する。【解決手段】山形に形成した足置き台１であって、足置き部を形成する一対の足置き片２、３と、この一対の足置き片２、３の下端間を連結する底片４とを備え、一対の足置き片２、３は、折り畳みできるように上端同士を連結し、底片４は折り畳まれた一対の足置き片２、３間に折り込み可能に形成されている。前記底片４は下面に滑り止めを設け、また足置き部にはクッションを設ける。【選択図】図１
0003130463.tif 000002
【実用新案登録請求の範囲】
【請求項１】
山形に形成した足置き台であって、折り畳みできるように上端同士を連結した一対の足置き片と、この一対の足置き片の下端を連結する底片とを備え、前記底片は、折り畳まれた前記一対の足置き片間に折り込み可能に形成されていることを特徴とする足置き台。
【請求項２】
前記一対の足置き片は、少なくとも芯材とこれを被覆したカバー材とからなる請求項1に記載の足置き台。
【請求項３】
前記一対の足置き片における少なくとも足置き部に、芯材と共にクッション材が内蔵されている請求項1または２に記載の足置き台。
【請求項４】
山形に形成した足置き台であって、
折り畳みできるように上端で相連結されて山形を形成する第１の足置き片および第２の足置き片と、
前記第１の足置き片の下端に一端が連結されかつ他端に前記第２の足置き片の下端が載る底片と、
前記底片の前記他端から延設され、前記第２の足置き片から前記第１の足置き片の上端の外面に折れて重なるとともに先端に止め具を設けた止め片と、
前記第１の足置き片および前記第２の足置き片の少なくとも一方に設けられて前記止め具が着脱自在に係合する受け具とを備え、
前記底片は折り畳まれた前記第１の足置き片および前記第２の足置き片間に折り込み可能に形成されている足置き台。
【請求項５】
前記第１の足置き片および第２の足置き片は、少なくとも芯材とこれを被覆したカバー材とからなる請求項４に記載の足置き台。
【請求項６】
前記止め片、または前記第１の足置き片もしくは第２の足置き片における少なくとも足置き部に、クッション材が内蔵されている請求項４または５に記載の足置き台。
【請求項７】
前記止め具は面ファスナの一方であり、前記受け具は前記面ファスナの他方であり、前記止め片は前記第２の足置き片を越えて前記第１の足置き片に重なり、前記受け具は前記第１の足置き片および前記第２の足置き片にまたがって連続している請求項４〜６のいずれかに記載の足置き台。
【請求項８】
前記底片は下面に滑り止めを有する請求項１〜７のいずれかに記載の足置き台。
【考案の詳細な説明】
【技術分野】
【０００１】
この考案は、飛行機などの乗り物の座席の前に設置されて、座席に座った人が足を置くための足置き台に関するものである。
【背景技術】
【０００２】
例えば飛行機で長距離を移動する場合、靴などの履物を脱いでリラックスしたい場合がある。また、長時間座席に座っているだけでは、脚足の血液の循環が悪くなり、いわゆるエコノミック症候群を惹起するおそれがある。この対策として、靴などの履物を脱いで足置き台に足を置くことが有効とされている。
【０００３】
前座席の後面に足置き台が付いている乗り物はあるが、足置き台が付いていない座席や乗り物もある。このような場合、自分の荷物を足置き台に代用することがあるが、常に代用できるわけではない。そこで、持ち運びのできる足置き台が望まれる。
【０００４】
特許文献１には、携帯用の足置き台が開示されており、携帯時には空気を抜き、使用時に空気を入れて足置き台を形成するものである。
【特許文献１】特開２００３−１８０４８７号公報
【考案の開示】
【考案が解決しようとする課題】
【０００５】
特許文献１の足置き台は携帯できるが、使用前に空気を入れ使用後に空気を抜く操作が必要であり、面倒である。また空気圧を十分に大きくしないと足置き台として不安定になるとともに、空気を入れる操作に負担がかかる。
【０００６】
したがって、この考案の目的は、コンパクトに折り畳むことができるので携帯に便利であり、しかも簡便にかつ安定して使用することができる足置き台を提供することである。
【課題を解決するための手段】
【０００７】
この考案は、山形に形成した足置き台であって、折り畳みできるように上端同士を連結した一対の足置き片と、この一対の足置き片の下端を連結する底片とを備え、前記底片は、折り畳まれた前記一対の足置き片間に折り込み可能に形成されているものである。
【０００８】
この考案の別の足置き台は、山形に形成したものであって、折り畳みできるように上端で相連結されて山形を形成する第１の足置き片および第２の足置き片と、前記第１の足置き片の下端に一端が連結されかつ他端に前記第２の足置き片の下端が載る底片と、前記底片の前記他端から延設され、前記第２の足置き片から前記第１の足置き片の上端の外面に折れて重なるとともに先端に止め具を設けた止め片と、前記第１の足置き片および前記第２の足置き片の少なくとも一方に設けられて前記止め具が着脱自在に係合する受け具とを備え、前記底片は折り畳まれた前記第１の足置き片および前記第２の足置き片間に折り込み可能に形成されているものである。
【０００９】
上記構成において、前記底片は下面に滑り止めを設けることができる。また、足置き部にはクッションを設けることができる。
【００１０】
上記構成において、前記止め具は面ファスナの一方であり、前記受け具は前記面ファスナの他方であり、前記止め片は前記第２の足置き片を越えて前記第１の足置き片に重なり、前記受け具は前記第１の足置き片および前記第２の足置き片にまたがって連続している。
【考案の効果】
【００１１】
この考案の足置き台は、底片を広げた状態で設置面に置き、一対の足置き片により形成される山形の足置き台に足を置いて使用される。したがって、使用時には簡便にかつ安定して使用することができる。携帯するときは、一対の足置き片間に底片を折り込んで、一対の足置き片を折り畳む。したがって、偏平でコンパクトになり携帯に便利であり、そのままバッグなどに収納することができる。
【００１２】
また第１の足置き片の下端に底片を連結し、底片より止め片を延出して第２の足置き片の下端を底片と止め片のコーナで保持する構成にすると、一対の足置き片、底片および止め片を１列に並べた構成で製造することができ、製造および保管容易になる。しかも組み立て時には止め片の止め具を受け具に止めればよいので組立てが容易である。
【００１３】
底片の下面に滑り止めを設けると、足の自重や足に力を加えることによって足置き台が滑るのを防止することができる。
【００１４】
また、少なくとも足置き部にクッションを設けると、快適に足を載せることができる。
【００１５】
止め具を面ファスナの一方とし、受け具を面ファスナの他方とし、受け具を一対の足置き片にまたがって連続して設けると、止め具と受け具との止着位置をずらすことにより、足置き台の高さを任意に調節することができる。
【考案を実施するための最良の形態】
【００１６】
（第１の実施形態）
この考案の第１の実施形態に係る足置き台を図１〜図４に基づいて説明する。図１は足置き台の使用状態を示している。この足置き台１は山形に形成したもので、一対の足置き片２、３と、底片４とを有する。図２は足置き台１を折り畳んだ状態を示している。図３は図１の使用状態における断面構造を示す模式図、図４は展開図である。
【００１７】
一対の足置き片２、３は足置き部を形成するもので、それぞれ平板により形成され、図１に示すように、山形をなすように互いに傾斜している。この場合、一対の足置き片２、３が折り畳みできるように一対の足置き片２、３の上端を相連結している。底片４は床面等の設置面Ｂ(図３を参照)に置かれて一対の足置き片２、３の下端を連結するものであり、折り畳まれた一対の足置き片２、３間に折り込み可能に形成されている。底片４には中央に滑り止め９が付設されている。
【００１８】
足置き台１を使用するときは、足置き台１の底片４を下にして座席の前の床面等の設置面Ｂに置き、頂部（足置き部）付近に足を置く。この場合、一対の足置き片２、３および底片４で囲まれた内部空間に脱いだ靴等の履物を収納しておく。これにより、履物の置き場に困らずに済む。
【００１９】
足置き部に足を置いた場合、その力は一対の足置き片２、３で形成する山形を押しつぶすように加わるが、底片４がその力を引張力として受け、一対の足置き片２、３を支持している。これにより、足Ａを足置き部１で安定に支持することができる。
【００２０】
図４は足置き台１を展開したものである。足置き台１を製造するには、２枚重ねの帯状の柔軟性シート１５（例えば布）を仕切り線１１、１２に沿って縫着する。仕切り線１１は長手方向の中央位置であり、仕切り線１２は柔軟性シート１５の両端から柔軟性シート１５の半長の約１／３の距離をおいた位置である。仕切り線１１、１２の間で２枚重ねの柔軟性シート１５間のスペースに、例えばプラスチック段ボールなどの板状の軽量芯材８と、例えば発泡プラスチック等の弾力性のあるシートからなるクッション１４とを重ね合わせて収納する。収納後、柔軟性シート１５の周辺を糸で縫着する。仕切り線１２と柔軟性シート１５の両端との間の約１／２の幅で両端線に沿って滑り止め９を接着、縫着などにより付設する。滑り止め９としては、例えば面ファスナのかぎ形のある一方を利用することができるが、これに限定されるものではない。このようにして足置き台１が形成される。なお製造順序は上記の順序に限定されない。
【００２１】
この場合において、柔軟性シート１５のうち芯材８を収容した部位が一対の足置き片２、３を形成し、残りの部分が底片４を形成している。一対の足置き片２、３の上端間の連結部（すなわち仕切り線１１の箇所）、底片４と足置き片２、３との連結部（すなわち仕切り線１２の箇所）、および底片４はいずれも柔軟性シート１５で形成されるため、一対の足置き片２、３は折り畳み自在となり、底片４も折り畳まれた一対の足置き片２、３の間に折り込むことができる。
【００２２】
図２は足置き台１を折り畳んだ状態である。足置き部を中心に一対の足置き片２、３を折り畳みながら、その間に底片４および滑り止め９を折り込む。この結果、足置き台は偏平な状態となりコンパクトにすることができ、手に持ったままでも持ち運びに便利であり、またバッグに収納するにも嵩張らず、携帯に便利になる。また使用時には図２の状態から図１の状態に足置き片２、３を広げて底片４を設置面Ｂに置くだけで、容易に使用することができる。さらに足置き台を折り畳んだ状態で例えばスポーツ観戦用の座りシートに利用することもできるので便利である。
【００２３】
上記において、一対の足置き片２、３の芯材８として特にプラスチック段ボールを用いると剛性がありかつ軽量であることから、足置き台の携帯に好都合である。
（第２の実施形態）
この考案の第２の実施形態に係る足置き台を図５〜図７により説明する。図５は足置き台の使用状態を示している。この足置き台１′は一対の足置き片２′、３′と、底片４′と、止め片５を有する。
【００２４】
第１の実施形態と同様に、一対の足置き片２′、３′は山形の足置き部を形成するものであり、山形をなすようにそれぞれ傾斜し、一対の足置き片２′、３′が折り畳みできるように一対の足置き片２′、３′の上端を相連結している。底片４′は床面等の設置面Ｂに置かれて一対の足置き片２′、３′の下端間を連結する機能をもつものであり、折り畳まれた一対の足置き片２′、３′間に折り込み可能に形成されている。止め片５は底片４′より延設されている。
【００２５】
一対の足置き片２′、３′、底片４′および止め片５の連結構成について説明する。一対の足置き片の一方となる第１の足置き片２′の下端２ａに底片４′の一端４ａを連結し、底片４′の他端４ｂより止め片５を延出し、止め片５は第２の足置き片３′に折れて重なることができるように形成されており、先端は第１の足置き片２′の上端に重なる。これにより、第２の足置き片３′の下端３ａが底片４′の他端４ｂとそこから折れて延出する止め片５とのコーナに保持され、底片４′に対して連結固定された状態となる。
【００２６】
また止め片５は先端に止め具６を有し、止め具６に着脱可能な受け具７を一対の足置き片２′、３′に設けている。具体的には、止め具６には面ファスナの一方を用い、受け具７には面ファスナの他方を用い、互いに着脱可能としている。この場合、受け具７は足受け部の高さ調節を可能とするために、一対の足置き片２、３の上端にまたがって連続形成されている。
【００２７】
止め片５の先端部にはクッション１０が内蔵されており、これにより足を気持ちよく置くことができる。
【００２８】
上記の一対の足置き片２′、３′、底片４′および止め片５は、２枚重ねの丈夫な柔軟性シート１５で一体に形成され、その周辺ならびに足置き片２、３、底片４′および止め片５間の境界がそれぞれ糸で縫着されて閉じられ内部を袋状に形成している。一対の足置き片２′、３′の柔軟性シート１５間にはそれぞれ板状の芯材８′が介在されている。
【００２９】
一対の足置き片２′、３′の上端は柔軟性シート１５で連結されているので一対の足置き片２′、３′を折り畳み自在に回動でき、底片４′も柔軟性シート１５で形成されるので一対の足置き片２′、３′間に折り込むことができる。同様に止め片５も柔軟性シート１５により形成されるので足置き片２′、３′に沿うように折れて重ねることができる。このとき、止め片５はその上に足が置かれることとなるので足置き部の一部を構成し、かつクッションの役目も果たす。足置き台１′をこのように構成することにより、足置き台１′を平面形状で製造できるため製造容易であり、かつ後述するように組み立ても容易になる。
【００３０】
底片４′の下面には表面が凹凸になったシートを用いた滑り止め９を形成している。
【００３１】
足置き部に足を置いた状態では、その力は一対の足置き片２′、３′で形成する山形に加わり、その力を底片４′で受けて支えている。
【００３２】
足置き台を折り畳むときには、足置き部（頂部）を中心に一対の足置き片２′、３′を折り畳みながら、その間に底片４′を折り込む。その結果、足置き台１′は偏平な状態となりコンパクトにすることができ、携帯に便利になる。また使用時には図５の状態に足置き片２′、３′を広げて底片４′を設置面Ｂに置くだけで、容易に使用することができる。
【００３３】
図６（ａ）は図６の一対の足置き片２′、３′を展開した状態の表面側であり、同図（ｂ）は展開状態の裏面側である。足置き台が平面的に造れるので製造容易になるとともに、製造した直後はこの状態となるので組み立て前の保管が容易になる。
【００３４】
図７は足置き台の組み立て途中の状態であり、底片４′上に一対の足置き片２′、３′を立て、該一対の足置き片上に止め片５を重ね、面ファスナを用いた止め具６を受け具７に押しつけて連結する。これにより、足置き片３′の下端３ａは底片４′の他端４ｂと止め片５のコーナに保持され、実質的に底片４′の他端４ｂに連結状態に固定されている。その結果、足置き台の組み立てが容易になっている。
【００３５】
この場合、一対の足置き片２′、３′にまたがった受け具７上の止め具６の位置をずらせると、第２の足置き片３′の下端３ａが、底片４′の他端４ｂ上を一端４ａに接近する方向または離間する方向にずれるため、足置き部の高さを調節することが可能となる。
【００３６】
なお、止め片５に内蔵したクッション１０に代えて、図１〜４に示したようなクッション１４を用いてもよい。また、止め具６および受け具７は面ファスナを用いているが、着脱自在な構成であれば、例えばボタン状の止めホックなどでもよい。
【００３７】
また、この考案において、足置き台の内部スペースは履物が入らない大きさでもかまわない。また板状の芯材８は足置き部１に足を置いても十分に支える強度を有するものであれば、例えば木板または剛性のプラスチック板でもよい。滑り止め９として、例えば設置面Ｂに対して摩擦力（係数）が大きく、かつ底片４と同じように折り込むことができる構成であれば、材料はプラスチックやゴム状のシートなどでもよい。柔軟性シート１５は２枚重ねにしたが、２つ折りにしたものを用いることができる。柔軟性シート１５がプラスチック製の場合、柔軟性シート１５の周辺等を縫着に代えて溶着その他の結合手段を用いてもよい。
【００３８】
また、一対の足置き片２、３、２′、３′は少なくとも一方が傾斜していればよい。
【００３９】
さらに一対の足置き片２、３、２′、３′の連結部および足置き片と底片の連結部などは、柔軟性シート１５に限らず、軸を用いた回動自在な連結でも可能である。
【００４０】
さらに足置き片２、３、底片４および止め片５は平板状に形成されたが、穴を空けたものであったり、それらの一部もしくは全部が枠形であってもよい。
【図面の簡単な説明】
【００４１】
【図１】この考案の第１の実施形態に係る足置き台の使用状態を示す概略斜視図である。
【図２】第１の実施形態に係る足置き台の折り畳み状態を示す概略斜視図である。
【図３】第１の実施形態に係る足置き台の概略断面図である。
【図４】第１の実施形態に係る足置き台の展開状態を示す平面図である。
【図５】この考案の使用状態を示す概略断面図である。
【図６】（ａ）は第２の実施形態に係る足置き台の展開状態を示す平面図、（ｂ）はその裏面図である。
【図７】足置き台の組み立て途中の状態を示す概略斜視図である。
【符号の説明】
【００４２】
１    足置き部
２    第１の足置き片
３    第２の足置き片
４    底片
５    止め片
６    止め具
７    受け具
８    芯材  
９    滑り止め
１４    クッション
１５    柔軟性シート  
【図１】
0003130463.tif 000003
【図２】
0003130463.tif 000004
【図３】
0003130463.tif 000005
【図４】
0003130463.tif 000006
【図５】
0003130463.tif 000007
【図６】
0003130463.tif 000008
【図７】
0003130463.tif 000009